(57)【要約】      （修正有）【課題】入浴車の荷台空間にバスタブおよび担架を合理的な状態で収納する入浴車用バスタブおよび担架収納装置を提供する。【解決手段】入浴車用バスタブおよび担架収納装置１であって、入浴車２の荷台３に折り畳み状態の担架４の枠内寸法よりも小さな外形の収納架台５を設置し、収納架台５の上に前後方向に長く左右一対のバスタブ受け６をヒンジ軸付きヒンジにより折り畳み自在に取り付けるとともに、収納架台５の前方および後方に、担架４に対する左右一対の支え具９および係り止め具１０を設けた構成とする。【選択図】図１
0003230262.tif 000002
【実用新案登録請求の範囲】
【請求項１】
入浴車用バスタブおよび担架収納装置（１）であって、入浴車（２）の荷台（３）に、折り畳み状態の担架（４）の枠内寸法よりも小さな外形の収納架台（５）を設置し、この収納架台（５）の上に入浴車（２）の前後方向に長く左右一対のバスタブ受け（６）を前後方向のヒンジ軸（７）付きヒンジ（８）により折り畳み自在に取り付けるとともに、収納架台（５）の前方で荷台（３）に折り畳み状態の担架（４）に対する左右一対の支え具（９）を設け、また収納架台（５）の後方で荷台（３）および収納架台（５）の少なくともいずれかに折り畳み状態の担架（４）に対する係り止め具（１０）を設けて、上記の入浴車用バスタブおよび担架収納装置（１）を構成し、
荷台（３）への折り畳み状態の担架（４）およびバスタブ（１１）の収納に際して、左右一対のバスタブ受け（６）をヒンジ（８）のヒンジ軸（７）により中央側へ折り畳んで車幅方向に狭い幅としてから、折り畳み状態の担架（４）の枠内寸法空間に収納架台（５）を入り込ませながら折り畳み状態の担架（４）を荷台（３）の空間に納め、折り畳み状態の担架（４）の前端を支え具（９）で支え、かつ折り畳み状態の担架（４）の後端を係り止め具（１０）に係り止めて固定するとともに、折り畳み状態の左右一対のバスタブ受け（６）をヒンジ（８）のヒンジ軸（７）により外側に開いて、車幅方向に広い幅とした後に、それらのバスタブ受け（６）の上にバスタブ（１１）のスタンド（１２）を載せ、バスタブ（１１）を荷台（３）の空間に納め、
また入浴車（２）の荷台（３）からのバスタブ（１１）および折り畳み状態の担架（４）の取り出しに際し、バスタブ受け（６）からバスタブ（１１）を後方に移動させて荷台（３）から降ろして、左右一対のバスタブ受け（６）をヒンジ（８）のヒンジ軸（７）により中央側へ折り畳んで、狭い幅としてから、折り畳み状態の担架（４）を支え具（９）から離し、かつ係り止め具（１０）から外して、折り畳み状態の担架（４）を荷台（３）から後方に取り出すことによって、バスタブ（１１）および担架（４）を荷台（３）から降ろす、ことを特徴とする入浴車用バスタブおよび担架収納装置（１）。
【請求項２】
支え具（９）を荷台（３）の上面より高い位置に設け、かつ係り止め具（１０）を支え具（９）よりも低い位置に設け、折り畳み状態の担架（４）を入浴車（２）の前側で高い傾斜状態として固定するとともに、折り畳み状態の担架（４）と干渉する前側部分のバスタブ受け（６）を部分的に切り取って切り欠き（１３）を形成する、ことを特徴とする請求項１記載の入浴車用バスタブおよび担架収納装置（１）。
【考案の詳細な説明】
【技術分野】
【０００１】
本考案は、訪問入浴用の入浴車に関し、特に、入浴車の荷台空間に入浴用のバスタブおよびバスタブ専用の担架を収納するための装置に関する。
【背景技術】
【０００２】
訪問入浴のときに、作業者（介助者）は、入浴車を運転し、訪問先にバスタブやバスタブ専用の担架のほかに、入浴に必要な他の機器を搬送し、荷台空間からバスタブや担架を取り出して、入浴場所に利用可能な状態として設置してから、入浴の介助を行う。この搬送に際して、バスタブや担架は、入浴車の限られた荷台空間に合理的な状態で収納されなければならない。
【０００３】
特許文献１は、入浴車の狭い荷台空間において、分割式のバスタブの下に折り畳み状態の担架を置き、それらを上下に収納することを開示している。
【０００４】
また、特許文献２は、大型の入浴車の広い荷台空間に一体型のバスタブを収納し、その上に一体型の担架を載せることによって、それらを使用時とほぼ同様の形態で荷台空間に収納し、搬送することを開示している。
【先行技術文献】
【特許文献】
【０００５】
【特許文献１】特開２００３−２５９０２号公報
【特許文献２】実開昭５９−７０８３８号公報
【考案の概要】
【考案が解決しようとする課題】
【０００６】
上記の特許文献１の技術によると、バスタブの使用の前後で、分割式のバスタブの組み立て、分解、組み立て作業が不可欠であり、煩雑である。また、上記の特許文献２の技術によると、入浴車が大型になるという欠点がある。
【０００７】
したがって、本考案の課題は、入浴車の狭い荷台空間にバスタブおよび折り畳み式の担架を合理的に収納できるようにするとともに、入浴車の荷台空間に対してバスタブおよび折り畳み式の担架を作業性の良い合理的な状態で収納または取り出せるようにすることである。
【課題を解決するための手段】
【０００８】
上記課題のもとに、本考案は、入浴車用バスタブおよび担架収納装置（１）であって、入浴車（２）の荷台（３）に、折り畳み状態の担架（４）の枠内寸法よりも小さな外形の収納架台（５）を設置し、この収納架台（５）の上に入浴車（２）の前後方向に長く左右一対のバスタブ受け（６）を前後方向のヒンジ軸（７）付きヒンジ（８）によって折り畳み自在に取り付けるとともに、収納架台（５）の前方で荷台（３）に折り畳み状態の担架（４）に対する左右一対の支え具（９）を設け、また収納架台（５）の後方で荷台（３）および荷台（３）と一体の収納架台（５）の双方または一方に折り畳み状態の担架（４）に対する係り止め具（１０）を設けて、上記の入浴車用バスタブおよび担架収納装置（１）を構成している。
【０００９】
上記の入浴車用バスタブおよび担架収納装置（１）において、荷台（３）への折り畳み状態の担架（４）およびバスタブ（１１）の収納に際して、作業者は、まず、左右一対のバスタブ受け（６）をヒンジ（８）のヒンジ軸（７）により中央側へ折り畳み、車幅方向で狭い幅としてから、折り畳み状態の担架（４）の枠内寸法空間に収納架台（５）を入り込ませながら、折り畳み状態の担架（４）を荷台（３）の空間に納め、折り畳み状態の担架（４）の前端を支え具（９）で支え、かつ、折り畳み状態の担架（４）の後端を係り止め具（１０）に係り止めて固定してから、つぎに、折り畳み状態の左右一対のバスタブ受け（６）をヒンジ（８）のヒンジ軸（７）により外側に開いて、車幅方向で広い幅とした後に、それらのバスタブ受け（６）の上にバスタブ（１１）のスタンド（１２）を載せ、バスタブ（１１）を荷台（３）の空間に納める。
【００１０】
入浴車（２）の荷台（３）からのバスタブ（１１）および折り畳み状態の担架（４）の取り出しに際し、作業者は、まず、バスタブ受け（６）からバスタブ（１１）を後方に移動させて荷台（３）から降ろし、つぎに、左右一対のバスタブ受け（６）をヒンジ（８）のヒンジ軸（７）によって中央側へ折り畳んで、狭い幅としてから、折り畳み状態の担架（４）を支え具（９）から離し、かつ係り止め具（１０）から外して、折り畳み状態の担架（４）を荷台（３）から持ち上げながら後方に取り出すことにより、バスタブ（１１）および担架（４）を荷台（３）から降ろす。
【００１１】
また、本考案は、上記の入浴車用バスタブおよび担架収納装置（１）において、支え具（９）を荷台（３）の上面より高い位置に設け、係り止め具（１０）を支え具（９）よりも低い位置に設けることによって、折り畳み状態の担架（４）を入浴車（２）の前側で高い傾斜状態として固定するとともに、傾斜状態の担架（４）に対して干渉するバスタブ受け（６）の前側部分を部分的に切り取って切り欠き（１３）を形成している。
【００１２】
この切り欠き（１３）の形成によって、傾斜状態の担架（４）は、バスタブ受け（６）の切り欠き（１３）を通って、バスタブ受け（６）に干渉することなく、荷台（３）に折り畳み状態として収納される。
【考案の効果】
【００１３】
入浴介助のときに、担架（４）は、必要に応じて、バスタブ（１１）の上面に載せて利用される。このとき、本考案の入浴車用バスタブおよび担架収納装置（１）によると、入浴車（２）の荷台（３）からバスタブ（１１）および折り畳み状態の担架（４）を取り出すときに、作業者は、現場でのそれらの使用態様にしたがって、まず、バスタブ（１１）を取り出し、つぎに担架（４）の順に取り出せるから、この取り出しの順序にしたがってバスタブ（１１）の上面に担架（４）を載せられ、訪問先でのセッティングの段取りにしたがって作業性の良い状態で行える。このため、訪問先で一時置きの場所など無くても、順序良く準備作業が可能となる。
【００１４】
なお、入浴に際しての担架（４）の不使用時に、作業者は、荷台（３）に担架（４）を収納したままの状態でバスタブ（１１）のみを取り出せる点でも有利である。
【００１５】
また、入浴車（２）の荷台（３）に対してバスタブ（１１）および折り畳み状態の担架（４）を収納するときに、作業者は、まず、入浴場所でバスタブ（１１）の上面から担架（４）を取り出し折り畳み状態として荷台（３）に固定し、その後にバスタブ受け（６）を広い幅としてから、バスタブ受け（６）の上にバスタブ（１１）を納められる。このため、それらの荷台（３）への収納は、入浴後の担架（４）やバスタブ（１１）の片づけの順にしたがって作業性の良い状態で行える。
【００１６】
また、バスタブ（１１）および担架（４）が荷台（３）の収納架台（５）に対して上下の関係で立体的に収納されるから、荷台（３）の空間が有効に利用できる。
【００１７】
さらに折り畳み状態の担架（４）が左右一対のバスタブ受け（６）の切り欠き（１３）を通ってバスタブ受け（６）に干渉することなく、荷台（３）に傾斜状態として収納されるから、担架（４）の平面上での前後方向の収納長さが短くでき、これによって前後方向に短い荷台（３）の空間にも担架（４）の収納が可能となる。
【図面の簡単な説明】
【００１８】
【図１】本考案の入浴車用バスタブおよび担架収納装置（１）において、入浴車（２）を側方から透視したときの担架（４）およびバスタブ（１１）などの配置の側面図である。
【図２】本考案の入浴車用バスタブおよび担架収納装置（１）において、入浴車（２）を上方から透視したときの担架（４）およびバスタブ（１１）などの配置の平面図である。
【図３】本考案の入浴車用バスタブおよび担架収納装置（１）において、入浴車（２）を後方から透視したときの担架（４）およびバスタブ（１１）などの配置の背面図である。
【図４】本考案の入浴車用バスタブおよび担架収納装置（１）において、担架（４）およびバスタブ（１１）の収納状態の拡大側面図である。
【図５】本考案の入浴車用バスタブおよび担架収納装置（１）において、担架（４）およびバスタブ（１１）の収納状態の拡大平面図である。
【図６】本考案の入浴車用バスタブおよび担架収納装置（１）において、収納架台（５）に対する左右一対のバスタブ受け（６）の取り付け状態の拡大背面図である。
【考案を実施するための形態】
【００１９】
図１ないし図６は、本考案の入浴車用バスタブおよび担架収納装置１を示している。入浴車用バスタブおよび担架収納装置１は、一例として５ドアワンボックス型の入浴車２の荷台３に、折り畳み状態の担架４の枠内寸法よりも小さな外形の収納架台５を設置し、この収納架台５の上に、入浴車２の前後方向に長い左右一対のバスタブ受け６を前後方向のヒンジ軸７付きヒンジ８により折り畳み自在に取り付けるとともに、収納架台５の前方で荷台３と一体の部分に折り畳み状態の担架４に対する支え具９を設け、また収納架台５の後方の荷台３および収納架台５の双方またはいずれか一方に折り畳み状態の担架４に対する係り止め具１０を設けて、構成されている。
【００２０】
図示の例で、左右一対のバスタブ受け６は、図４ないし図６に見られるように、入浴車２の前後方向に長いＵ字状のレール２４付きであり、その前端に必要に応じて、ストッパー２５を有している。また、支え具９は、図４および図５に見られるように、担架４の横方向の振れ止めのためにコ字型であり、さらに、係り止め具１０は、図４に例示するように、フック状のものとして、荷台３および荷台３と一体の収納架台５の双方に設けられている。
【００２１】
また、この例で、担架４の本体枠は、図４に例示するように、中央でコ字型の連結体２２とその両端位置の連結ピン２３とにより２つ折りとして折り畳み状態になる。担架４が直線状として１８０度に開かれると、中央の連結体２２は、両端の本体枠の面に当たり、一直線状となって、バスタブ１１の上に載せられる状態となる。このように、担架４は一方の方向にのみ折り畳み状態になり、これに対し反対方向に折り畳み状態にならないように構成されている。
【００２２】
荷台３への折り畳み状態の担架４およびバスタブ１１の収納に際して、作業者は、図５および図６に示すように、まず左右一対のバスタブ受け６をヒンジ８のヒンジ軸７により中央側へ折り畳んで、両者間を車幅方向に狭い幅とし、この状態で、折り畳み状態の担架４の枠内寸法空間に収納架台５を入り込ませながら、担架４を荷台３の空間に納め、図４および図５に示すように、担架４の前端の連結体２２を支え具９で支え、かつ担架４の後端の枠部分を係り止め具１０に係り止めて、担架４を荷台３の空間に固定するとともに、折り畳み状態の左右一対のバスタブ受け６をヒンジ８のヒンジ軸７により外側に開いて広い幅としてから、それらの広い幅のバスタブ受け６のＵ字状レール２４上にバスタブ１１のスタンド１２を載せ、バスタブ１１を荷台３の空間に納める。なお、図１および図３に見られるように、バスタブ１１の入浴者頭部側に図示しない洗髪タブを支えるためのリンク機構２１が下方に折り込めるように設けられている。
【００２３】
図４の例において、前側の左右一対の支え具９は、荷台３の上面より高い位置に設けられ、これに対して、後ろ側の左右一対の係り止め具１０は、それぞれ対応の支え具９よりも低い位置に設けられている。このため、折り畳み状態の担架４は、入浴車２の前側で高く、後ろ側で低い傾斜状態として荷台３の空間に固定される。この結果、荷台３の空間に内で、平面上での担架４の前後方向の長さは、折り畳み状態の担架４の全長よりも短くなっている。これは、入浴車２の車長の短縮化に有利となる。
【００２４】
担架４が入浴車２の前側でバスタブ受け６よりも高く傾斜していると、傾斜状態の担架４は、左右一対のバスタブ受け６の前側域で立体的に交差して干渉する。このため、それぞれのバスタブ受け６は、担架４とバスタブ受け６の前側の干渉域において切り取られており、切り欠き１３を形成している。これらの切り欠き１３の存在によって、折り畳み状態の担架４は、切り欠き１３を通って、バスタブ受け６に干渉することなく交差し、荷台３に傾斜状態として収納される。
【００２５】
担架４は、その使用時に、開いた状態で、折り畳み方向の面でバスタブ１１の上面に載せられる。したがって作業者は、バスタブ１１の上の担架４を折り畳むとき、中央の連結体２２を持ち上げる。これによって、担架４は、２つ折り状になり、最終的に折り畳み状態となる。
【００２６】
なお、入浴車２の荷台３には、入浴に必要な他の機器として、入浴車２の進行方向左側に給湯ボイラー１４、給湯ポンプ１５、ボイラー燃料の灯油タンク１６およびボイラーやポンプなどの操作ボックス１７が設けられており、さらに収納架台５の位置に清水タンク１８、収納架台５の後方に送水ホース１９および送湯ホース２０が設けられている。給湯ボイラー１４および給湯ポンプ１５は、入浴時に送湯ホース２０や送水ホース１９を介してバスタブ１１に適切な温度の湯や水を供給する。
【００２７】
訪問入浴のときに、作業者は、バスタブ１１および折り畳み状態の担架４のほか、必要な機器を搭載して、入浴車２を運転し、入浴先に移動する。入浴先において、作業者は、入浴車２の後部ドアを開け、まず、バスタブ１１をバスタブ受け６から後方に移動させて荷台３より降ろし、つぎに、左右一対のバスタブ受け６をヒンジ８により中央側へ折り畳んで、折り畳み状態の担架４を支え具９から離し、かつ係り止め具１０から外し、折り畳み状態の担架４を持ち上げながら荷台３から後方に取り出してから、バスタブ１１および担架４を室内などの入浴場所に運び、バスタブ１１の上面に担架４を載せ、バスタブ１１に湯を供給して、入浴可能な状態とする。この状態で入浴サービスが行われる。
【００２８】
なお、入浴に際し担架４の不使用時に、作業者は、荷台３に担架４を収納したままバスタブ１１のみを取り出すことになる。
【００２９】
入浴サービスが終了したとき、作業者は、まず、バスタブ１１の上面から担架４を取り上げて折り畳み状態とし、荷台３に納め、支え具９および係り止め具１０で動き止め状態として固定し、つぎに、左右一対のバスタブ受け６をヒンジ８により開き、バスタブ受け６のＵ字状レール２４上にバスタブ１１のスタンド１２を置いて、バスタブ１１を荷台３に収納する。バスタブ１１は、必要に応じて、図示しない締結バンドを用いて、収納架台５などに固定される。
【産業上の利用可能性】
【００３０】
本考案は、後部座席を取り去ることによって、小型車両にも適用できる。利用可能なバスタブ１１は、一体型でなく、分割式でもよい。分割式のバスタブ１１は、組み合わせ状態のまま荷台３に収納することもできる。
【符号の説明】
【００３１】
１  入浴車用バスタブおよび担架収納装置
２  入浴車
３  荷台
４  担架
５  収納架台
６  バスタブ受け
７  ヒンジ軸
８  ヒンジ
９  支え具
１０  係り止め具
１１  バスタブ
１２  スタンド
１３  切り欠き
１４  給湯ボイラー
１５  給湯ポンプ
１６  灯油タンク
１７  操作ボックス
１８  清水タンク
１９  送水ホース
２０  送湯ホース
２１  リンク機構
２２  連結体
２３  連結ピン
２４  レール
２５  ストッパー
【図１】
0003230262.tif 000003
【図２】
0003230262.tif 000004
【図３】
0003230262.tif 000005
【図４】
0003230262.tif 000006
【図５】
0003230262.tif 000007
【図６】
0003230262.tif 000008